(57)【要約】【課題】並列伝送方式と多値伝送方式を混在させた光伝送システムにおいて、並列伝送方式による場合に、多値伝送方式よる場合とは独立して伝送容量を拡大する。【解決手段】波長の異なる複数の光信号の強度を光送信装置１０から送信される光信号の波長ごとに識別可能な第１の光受信装置２０Ｂと、複数波長分を一括で識別する第２の光受信装置２０Ａとを各１台以上ずつ混在させ、光送信装置１０から、第２の光受信装置１０Ｂにおいて受光強度の総和が同一であると識別され且つ第１の光受信装置２０Ａにおいて波長の組み合わせの違いを識別される符号化情報を送信する。【選択図】図１
2008312138.tif 000002
【特許請求の範囲】
【請求項１】
強度変調され且つ同期のとられた波長の異なる複数の光信号を合波して送信し、該合波された光信号を分岐して複数の光受信装置で受信する光伝送方法であって、
前記複数の光受信装置として、前記波長の異なる複数の光信号の強度を光送信装置から送信される光信号の一部の波長または全ての波長ごとに識別可能な第１の光受信装置と、複数波長分を一括で識別する第２の光受信装置とを各１台以上ずつ混在させ、
前記光送信装置から、前記第２の光受信装置において受光強度の総和が同一であると識別され且つ前記第１の光受信装置において波長の組み合わせの違いを識別される符号化情報を送信することを特徴とする光伝送方法。
【請求項２】
請求項１に記載の光伝送方法に用いる符号化方法であって、
前記光送信装置から波長の異なるｎ波（ｎはｎ≧３を満たす整数）の光信号を送信する際に、
前記波長の異なるｎ波の光信号のうちの特定のｍ波（ｍは２≦ｍ≦ｎ−１を満たす整数）の光信号について、前記第２の光受信装置で取りうる０からｎまでのｎ＋１通りの受光強度のうち隣り合ったｋ（ｋは１≦ｋ≦ｍ−１を満たす整数）からｋ＋ｎ−ｍまでのｎ＋１−ｍ通りの受光強度と識別される範囲内において、前記第２の光受信装置で取り得るｎ＋１−ｍ通りの受光強度とは独立に、前記ｍ波の光信号のうち任意のｉ（ｉはｉ＝ｋを満たす整数）波をＯＮ、残りのｍ−ｉ波をＯＦＦと設定可能となるように、前記ｎ波の光信号のＯＮ／ＯＦＦ状態の組み合せを制御し、
前記第２の光受信装置では識別できず、前記第１の光受信装置では前記特定のｍ波が取り得るｍＣｉ通りのＯＮ／ＯＦＦ状態の組み合せをｍＣｉ値の多値符号として識別可能な、符号化情報として送信することを特徴とする符号化方法。
【請求項３】
請求項１に記載の光伝送方法において、
前記第１の光受信装置への光信号送信時間と、前記第２の光受信装置への光信号送信時間を分割し、
前記第１の光受信装置への割り当て時間においては、前記第１の光受信装置に情報を伝達するように信号を送信し、
前記第２の光受信装置への割り当て時間においては、前記第２の光受信装置に対して多値符号として受信され、且つ前記第１の光受信装置に対して前記符号化情報として受信される信号を送信することを特徴とする光伝送方法。
【請求項４】
請求項３に記載の光伝送方法において、
前記第１の光受信装置が複数台接続されている場合に、前記第１の光受信装置で識別可能な符号化情報を、前記第１の光受信装置の一部に対してのみ送信することを特徴とする光伝送方法。
【請求項５】
請求項３に記載の光伝送方法において、
前記符号化情報は、請求項２に記載の符号化方法を用いた符号化情報であることを特徴とする光伝送方法。
【請求項６】
高速な２値電気信号を波長の異なる複数の低速な２値光信号に変換し、該複数の２値光信号を１つの光伝送媒体に合波して送信する機能と、光受信装置で受信する受光強度の総和が同一と識別される範囲において前記波長の組合せを制御した符号化情報を送信する機能とを備えることを特徴とする光送信装置。
【請求項７】
請求項６に記載の光送信装置において、
前記符号化情報は、請求項２に記載の符号化方法によって作成された情報であることを特徴とする光送信装置。
【請求項８】
受信信号を分波し波長毎に光受信器を用いて識別する１又は２以上の第１の光受信装置と、
複数波長分の信号を１つの光受信器を用いて一括受信し多値符号として識別する１又は２以上の第２の光受信装置と、
高速な２値電気信号を波長の異なる複数の低速な２値光信号に変換し、該複数の低速な２値光信号を１つの光伝送媒体に合波して送信する機能と、前記第２の光受信装置において受光強度の総和が同一と識別される範囲において波長の組合せを制御して、前記第１の光受信装置にのみ識別可能な符号化情報を伝達する機能とを具備する１つの光送信装置と、
を備えることを特徴とする光伝送システム。
【請求項９】
請求項３に記載の光伝送方法を用いた光伝送システムであって、
請求項８に記載の第１の光受信装置と、請求項８に記載の第２の光受信装置と、請求項８に記載の光送信装置を備え、さらに、
前記第２の光伝送装置は各々の割り当て時間以外の時間に受信した信号を廃棄し、
前記第１の光受伝装置は前記第２の光受信装置に割り当てられた時間内に前記符号化情報を識別する機能を有し、
前記光送信装置は、前記高速な２値電気信号を前記波長の異なる複数の低速な２値光信号に変換する際に、前記第１の光受信装置への光信号送信時間には、波長毎に識別可能な低速な２値光信号に変換し、前記第２の光受信装置への信号送信時間には、一括で識別したときに多値符号として識別可能な信号となるように、波長の異なる複数の低速な２値光信号に変換する機能を有することを特徴とする光伝送システム。
【請求項１０】
請求項４に記載の光伝送方法を用いた光伝送システムであって、
請求項９に記載の第１の光受信装置と、請求項９に記載の第２の光受信装置と、請求項９に記載の光送信装置を備え、さらに、
前記第１の光受信装置は、前記符号化情報の宛先を識別して自装置宛の情報のみを選択受信する機能を有し、
前記光送信装置は、前記第１の光受信装置で識別可能な符号化情報に宛先情報を付加して送信する機能を有することを特徴とする光伝送システム。
【発明の詳細な説明】
【技術分野】
【０００１】
本発明は、光通信の高速化に関するもので、特に複数の伝送方法を同一伝送媒体上に混在させた場合に、経済的に伝送容量を増加する光伝送方法、符号化方法、光伝送システムおよび光送信装置に関するものである。
【背景技術】
【０００２】
パッシブオプティカルネットワーク（ＰＯＮ）は、有力な光ファイバアクセス技術として広く普及している。ＰＯＮは受動素子である光パワースプリッタを介し、１つの光加入者線局内装置（ＯＬＴ）と複数の光加入者線宅内装置（ＯＮＵ）を結ぶスター型のネットワークである。ＯＬＴに１芯の光ファイバが接続され、この光ファイバが光パワースプリッタを介して、複数の光ファイバヘと分岐し、ＯＮＵに接続する。このＰＯＮは、ＯＬＴ、光パワースプリッタおよびその間の光ファイバを複数のユーザで共有するため、低コストなサービスを提供できる。
【０００３】
ＰＯＮの伝送容量を増加する技術として、波長の異なる光信号を同一媒体上に波長多重し、波長数だけ並列に伝送容量を増加させる並列伝送方式（図９）がある。並列伝送方式の下り信号では、光送信装置１０（ＯＬＴ）においては、高速な２値電気信号をＳ／Ｐ変換部１４で複数の低速な２値光信号に変換し、該複数の低速な２値光信号を複数の光送信器１１で波長の異なる複数の光信号に生成して波長合波器１２で合波し、光ファイバ伝送路４０中に送信する。光パワースプリッタ４０を介して光信号を受信した光受信装置２０Ｂ（ＯＮＵ）においては、波長分波器２２で波長の異なる複数の光信号に分解し、複数の光受信器２３を用いて複数の低速な２値の電気信号に変換し、Ｐ／Ｓ変換部２４で１つの高速な２値光信号に変換する。この並列伝送方式は、多重した波長数分だけ伝送容量が増加するが、光送信装置１０に高価な波長合波器１２が必要であったり、光受信装置２０の光受信器２３が波長数分だけ必要となるため、経済性に課題がある。
【０００４】
一方、変調方法を利用して伝送容量を増加させる方法として、強度変調型多値伝送方式（特許文献１，２）が提案されている。多値伝送方式では、ＯＮＵ内に高価な光学フィルタが不要であり、単一の受信器で受信可能であるので、経済的な伝送容量増加が期待されるが、たとえば特許文献１の構成例では、独立した光源からの光信号を合波する際に、各光源の位相制御が実質的に不可能であるため、干渉雑音が生じてしまう。そのため、実質的に情報の伝達は困難である。また、特許文献２の構成例では、光信号の多値数に応じて必要な外部変調器が大規模になる。外部変調器は比較的高価なものであるため、経済化に適した方法とは言えない。
【０００５】
今後のインターネットの普及により、さらなる高速通信サービスへの要求が高まるとともに、相対的に低速で利用料金の安いサービスへの要求も高まるなど、ユーザからはサービスの多様化が求められると考えられる。一方、サービス提供側からは、サービス多様化による設備コスト増を抑えたいという要求がある。これら双方の要求に応えるために、光ファイバ伝送路と局側伝送装置を複数の伝送方法で共有する方法が考えられる。
【０００６】
上記した従来の強度変調型多値伝送方式の課題を解決し、且つ上記の方法で経済化を達成する通信方法として、強度の等しい複数波長の光信号を単一の光受信器で一括受信し、多値符号として識別することで伝送容量を増加させる多値伝送方式（図１０）が提案されている。
【０００７】
この多値伝送方式の下り信号では、光送信装置１０（ＯＬＴ）においては、高速な２値電気信号を多値論理変換部１３で多値論理信号に変換するとともに、その多値符号を２値の並列信号に変換し、複数の光送信器１１で波長の異なる複数の光信号を生成して波長合波器１２で合波し、光ファイバ伝送路４０中に送信する。光パワースプリッタ４０を介して光信号を受信した光受信装置２０Ａ（ＯＮＵ）においては、光受信器２１で一括受信し、多値２値変換部２６で２値信号に変換する。
【０００８】
この多値伝送方式を用いて並列伝送方式との混在型の下り伝送方法を考えた場合、並列伝送方式と多値伝送方式では、ＯＬＴに複数の光源を有する点で共通であり、２つの方法間で装置を時分割して使用することで、ＯＬＴの共有化を図ることが可能である。また、ＰＯＮへこれらの２方法を適用する際に、並列伝送方式、多値伝送方式のそれぞれの方法内においても時分割多重方法を適用することで、ユーザ毎に異なる情報の伝達を行うことができる。
【０００９】
また、この２方法を比較した場合、多値伝送方式は波長の追加に対して伝送容量の増加が対数関数的増加を示すため、並列伝送方式と比べて伝送容量の増加率は低くなることが分かる。要するに、並列伝送方式は高速で高価、多値伝送方式は並列伝送方式ほどではないが高速で経済的なサービスを提供できる。
【特許文献１】特開昭６３−００５６３３号公報
【特許文献２】特開２００３−２５８７３３号公報
【発明の開示】
【発明が解決しようとする課題】
【００１０】
上述のように、高速で高価な並列伝送方式と、そこそこ高速で安価な多値伝送方式を１つの光ファイバ伝送路上に共存させ、時分割多重によって使用した場合、複数のサービスを同一の光ファイバ伝送路および同一のＯＬＴで提供できるというメリットがあるが、このような混在収容には以下に述べる課題があった。
【００１１】
例えば、多値伝送方式のサービスを利用しているユーザがより高速なサービスを求めた場合、並列伝送方式のサービスヘのサービス変更で対応できるが、並列伝送方式のサービスを利用しているユーザがより高速なサービスを求めた場合、多値伝送方式のユーザ装置に影響を与えずに並列伝送方式のみ高速化することは難しい。すなわち、混在収容によって個々の方法の独立したアップグレードが困難になるというデメリットがあった。
【００１２】
本発明の目的は、光受信装置側において波長を識別して受信する方式（並列伝送方式）と識別せずに一括受信する方式（多値伝送方式）を混在させるとき、波長を識別しない光受信装置に対して多値識別されない波長情報を光送信器から送信することで、波長を識別して受信する方法のみ独立して伝送容量を拡大できるようにすることである。
【課題を解決するための手段】
【００１３】
上記目的を達成するために、請求項１にかかる発明は、強度変調され且つ同期のとられた波長の異なる複数の光信号を合波して送信し、該合波された光信号を分岐して複数の光受信装置で受信する光伝送方法であって、前記複数の光受信装置として、前記波長の異なる複数の光信号の強度を光送信装置から送信される光信号の一部の波長または全ての波長ごとに識別可能な第１の光受信装置と、複数波長分を一括で識別する第２の光受信装置とを各１台以上ずつ混在させ、前記光送信装置から、前記第２の光受信装置において受光強度の総和が同一であると識別され且つ前記第１の光受信装置において波長の組み合わせの違いを識別される符号化情報を送信することを特徴とする。
請求項２にかかる発明は、請求項１に記載の光伝送方法に用いる符号化方法であって、前記光送信装置から波長の異なるｎ波（ｎはｎ≧３を満たす整数）の光信号を送信する際に、前記波長の異なるｎ波の光信号のうちの特定のｍ波（ｍは２≦ｍ≦ｎ−１を満たす整数）の光信号について、前記第２の光受信装置で取りうる０からｎまでのｎ＋１通りの受光強度のうち隣り合ったｋ（ｋは１≦ｋ≦ｍ−１を満たす整数）からｋ＋ｎ−ｍまでのｎ＋１−ｍ通りの受光強度と識別される範囲内において、前記第２の光受信装置で取り得るｎ＋１−ｍ通りの受光強度とは独立に、前記ｍ波の光信号のうち任意のｉ（ｉはｉ＝ｋを満たす整数）波をＯＮ、残りのｍ−ｉ波をＯＦＦと設定可能となるように、前記ｎ波の光信号のＯＮ／ＯＦＦ状態の組み合せを制御し、前記第２の光受信装置では識別できず、前記第１の光受信装置では前記特定のｍ波が取り得るｍＣｉ通りのＯＮ／ＯＦＦ状態の組み合せをｍＣｉ値の多値符号として識別可能な、符号化情報として送信することを特徴とする。
請求項３にかかる発明は、請求項１に記載の光伝送方法において、前記第１の光受信装置への光信号送信時間と、前記第２の光受信装置への光信号送信時間を分割し、前記第１の光受信装置への割り当て時間においては、前記第１の光受信装置に情報を伝達するように信号を送信し、前記第２の光受信装置への割り当て時間においては、前記第２の光受信装置に対して多値符号として受信され、且つ前記第１の光受信装置に対して前記符号化情報として受信される信号を送信することを特徴とする。
請求項４にかかる発明は、請求項３に記載の光伝送方法において、前記第１の光受信装置が複数台接続されている場合に、前記第１の光受信装置で識別可能な符号化情報を、前記第１の光受信装置の一部に対してのみ送信することを特徴とする。
請求項５にかかる発明は、請求項３に記載の光伝送方法において、前記符号化情報が、請求項２に記載の符号化方法を用いた符号化情報であることを特徴とする。
請求項６にかかる発明は、高速な２値電気信号を波長の異なる複数の低速な２値光信号に変換し、該複数の２値光信号を１つの光伝送媒体に合波して送信する機能と、光受信装置で受信する受光強度の総和が同一と識別される範囲において前記波長の組合せを制御した符号化情報を送信する機能とを備えることを特徴とする。
請求項７にかかる発明は、請求項６に記載の光送信装置において、前記符号化情報は、請求項２に記載の符号化方法によって作成された情報であることを特徴とする。
請求項８にかかる発明は、受信信号を分波し波長毎に光受信器を用いて識別する１又は２以上の第１の光受信装置と、複数波長分の信号を１つの光受信器を用いて一括受信し多値符号として識別する１又は２以上の第２の光受信装置と、高速な２値電気信号を波長の異なる複数の低速な２値光信号に変換し、該複数の低速な２値光信号を１つの光伝送媒体に合波して送信する機能と、前記第２の光受信装置において受光強度の総和が同一と識別される範囲において波長の組合せを制御して、前記第１の光受信装置にのみ識別可能な符号化情報を伝達する機能とを具備する１つの光送信装置と、を備えることを特徴とする。
請求項９にかかる発明は、請求項３に記載の光伝送方法を用いた光伝送システムであって、請求項８に記載の第１の光受信装置と、請求項８に記載の第２の光受信装置と、請求項８に記載の光送信装置を備え、さらに、前記第２の光伝送装置は各々の割り当て時間以外の時間に受信した信号を廃棄し、前記第１の光受伝装置は前記第２の光受信装置に割り当てられた時間内に前記符号化情報を識別する機能を有し、前記光送信装置は、前記高速な２値電気信号を前記波長の異なる複数の低速な２値光信号に変換する際に、前記第１の光受信装置への光信号送信時間には、波長毎に識別可能な低速な２値光信号に変換し、前記第２の光受信装置への信号送信時間には、一括で識別したときに多値符号として識別可能な信号となるように、波長の異なる複数の低速な２値光信号に変換する機能を有することを特徴とする。
請求項１０にかかる発明は、請求項４に記載の光伝送方法を用いた光伝送システムであって、請求項９に記載の第１の光受信装置と、請求項９に記載の第２の光受信装置と、請求項９に記載の光送信装置を備え、さらに、前記第１の光受信装置は、前記符号化情報の宛先を識別して自装置宛の情報のみを選択受信する機能を有し、前記光送信装置は、前記第１の光受信装置で識別可能な符号化情報に宛先情報を付加して送信する機能を有することを特徴とする。
【発明の効果】
【００１４】
本発明によれば、多値伝送方式において利用していない波長情報を有効利用するので、並列伝送方式の伝送容量を多値伝送方式に影響を与えることなく独立して増加させることが可能になる。
【発明を実施するための最良の形態】
【００１５】
＜第１の実施例＞
図１に本発明の第１の実施例の光伝送システムを示す。光送信装置１０は、２値の入力信号を多値論理符号に変換し、その多値符号を光受信装置２０Ａの一括受信器で受信したときに多値符号として受信できるような２値の並列符号（個々のチャネルのマーク率は１／２）に変換し、波長の異なるｎ個の光送信器１１１〜１１ｎ（ｎは３以上の整数）で同期をとった複数の２値信号を生成し、光合波器１２で合波して送信する。光送信装置１０は、光スプリッタ３０で分岐された光ファイバ伝送路（媒体網）４０に接続され、光受信装置２０Ａ，２０Ｂに届くように光信号を送信する。
【００１６】
光受信装置２０Ａは複数の波長の光信号を波長に関係なく一括で受光して識別する光受信装置であり、光受信装置２０Ｂは複数の波長の光信号を波長毎に受光して個別に識別する光受信装置である。
【００１７】
光送信装置１０から光受信装置２０Ａに対して信号を送信するとき、各波長の光信号の受光強度の総和が同一と識別される範囲では、その光受信装置２０Ａでは波長情報が識別できない。よって光受信装置２０Ａでの受光強度を変化させない範囲において、光受信装置２０Ｂへの送信信号を制御して送信することで、光受信装置２０Ｂにおいてのみ識別できる符号化情報を伝達できる。以上により、異なる受信方法の光受信装置２０Ａ，２０Ｂに対して、同時且つ独立に情報を伝達することが可能となる。
【００１８】
＜第２の実施例＞
第２の実施例の光伝送システムでは、第１の実施例の光送信装置１０において、光送信器１１１〜１１ｎの波長をλ１，λ２，・・・，λｎとし、ｍを本方法で使用する符号化方法に使用する波長数として、一括で識別する光受信装置２０Ａの取り得る０レベルからｎレベルまでのｎ＋１値の受光強度のうち、ｎ＋１−ｍの受信強度の範囲において、特定のｍ（ｍは２≦ｍ≦ｎ−１を満たす整数）波長が任意に選択できることを利用して、ｍ個の波長の組み合わせを多値符号として送信する。
【００１９】
その様子を図２に示す。各光送信器１１１〜１１ｎのＯＮ／ＯＦＦ状態の組み合わせを、各波長λ１，λ２，・・・，λｎについて、（１）をＯＮ、（０）をＯＦＦ状態とする。図２において、たとえば、ｎＣ０は光送信器１１１〜１１ｎの全てがＯＦＦ、ｎＣ１は光送信器１１１〜１１ｎの内の１個がＯＮで残りがＯＦＦ、・・・、ｎＣｎは光送信器１１１〜１１ｎの全てがＯＮを示す。
【００２０】
光送信装置１０から信号を送信する際に、一括で識別する光受信装置２０Ａで取り得る強度はｎ＋１通りある。その時の送信波長の組み合わせはｎＣｋ通り存在する（ｋは１≦ｋ≦ｍ−１を満たす整数）。ここで特定のｍ個の波長（λｎ＋１−ｍ、・・・、λｎ）について注目すると、一括で識別する光受信装置２０Ａで受信強度を変化させない、ｋからｋ＋ｎ−ｍまでのｎ＋１−ｍ通りの受信強度の範囲においては、その特定のｍ個の波長のうち、ＯＮ状態すなわち（１）であるものがｉ（ｉはｉ＝ｋを満たす整数）波分存在する場合、ｍ波の中でそのＯＮ／ＯＦＦ状態の取り得る組み合せはｍＣｉ通りある。波長毎に識別可能な受信装置２０Ｂにおいては、光信号の波長を識別できるため、図２の破線で囲んだ部分のように、あらかじめ特定のｍ個の波長の組み合わせについて、０符号、１符号、２符号、・・・、ｍＣｉ符号を定義し、多値符号として識別する。これにより一括で識別する光受信装置２０Ａの帯域に影響を与えずに、波長毎に識別する光受信装置２０Ｂへの情報の伝達が可態となる。
【００２１】
＜第３の実施例＞
第３の実施例の光伝送システムでは、第１の実施例の光伝送システムにおいて、第２の実施例の光伝送システムの符号化方法を用いて信号を送信し、符号化情報を伝達する。
【００２２】
＜第４の実施例＞
第４の実施例の光伝送システムについて、図３に波長数３（ｎ＝３）の場合の例を示す。外部からの入力を変換する光送信装置１０から送信された光信号は、光ファイバ伝送路４０を伝搬し、一括で識別する３台の光受信装置２０Ａ１〜２０Ａ３と、波長毎に識別する３台の光受信装置２０Ｂ１〜２０Ｂ３で受信される。
【００２３】
図４に光送信装置１０の構成例を示す。光送信装置１０のＳ／Ｐ変換部を有する多値論理変換器１５は、外部から入力される高速な２値信号を多値論理に変換するとともにその多値符号を一括受信装置２０Ａで受信したときに多値符号として受信できるような２値の並列信号（個々のチャネルのマーク率は１／２）に変換する機能、外部から入力される高速な２値信号を多値論理に変換するとともに、その多値符号を２値の並列信号に変換する機能（従来の多値伝送方式用）、高速な２値電気信号を波長の異なる複数の低速な２値光信号に変換する機能（従来の並列伝送方式用）を有する。各光送信器１１１〜１１３は、その各２値信号を用いて光信号の変調を行う。以上により生成された３つの２値光信号を波長合波器１２で合波し、光ファイバ伝送路４０へ送信する。
【００２４】
光受信装置については以下の通りである。一括で識別する光受信装置２０Ａ１〜２０Ａ３では、フィルタを用いずに単一の光受信器２１１〜２１３ですべての波長の光信号を受信して多値符号として識別する。これは多値伝送方式で用いられる光受信装置である。波長毎に識別して受信する光受信装置２０Ｂ１〜２０Ｂ３では、波長分波器２２と波長毎に分波された光信号を受信する波長数分の光受信器２３１〜２３３を有する。これは並列伝送方式で用いられる光受信装置である。
【００２５】
ここで、光送信装置１０において、図５のような信号テーブルを用意する。各光送信器１１１〜１１３のＯＮ／ＯＦＦ状態の組み合わせを、各波長λ１，λ２，λ３について、（１）をＯＮ、（０）をＯＦＦ状態とする。本実施例の場合、全部で８通りのＯＮ／ＯＦＦ状態の組み合わせとして取り得る。このうち、（１，０，１）、（１，１，０）、（０，０，１）、（０，１，０）の組み合わせをとる場合において、一括で識別する光受信装置２０Ａ１〜２０Ａ３へ情報を伝達しながら、波長毎に識別して受信する光受信装置２０Ｂ１〜２０Ｂ３において（１，０，１）（０，０，１）を[１]、（１，１，０）、（０，１，０）を[０]と符号化し、光受信装置２０Ａ１〜２０Ａ３への信号とは独立に且つ同時に光受信装置２０Ｂ１〜２０Ｂ３に情報を伝達する。
【００２６】
この時の各受信装置での入射光の波長の組み合わせと受信強度を図６に示す。（λ１，λ２，λ３）が（１，０，１）、（１，１，０）、（０，０，１）、（０，１，０）の場合の光受信装置２０Ａ１〜２０Ａ３、２０Ｂ１〜２０Ｂ３での入力信号と、光受信装置２０Ａ１〜２０Ａ３における識別レベル（多値）、光受信装置２０Ｂ１〜２０Ｂ３におけるλ２，λ３用の光受信器２３２，２３３の識別符号（２値）を示す。入射する光信号の波長数に対して光受信装置２０Ａ１〜２０Ａ３の出力は比例し、多値レベルは１または２となる。この時、光受信装置２０Ｂ１〜２０Ｂ３でのλ２，λ３の光信号の組み合わせは、（０，１）または（１，０）となるが、（０，１）を[１]、（１，０）を[０]と識別することで、光受信装置２０Ａ１〜２０Ａ３で受信される多値信号の強度に影響を及ぼさずに、光受信装置２０Ｂ１〜２０Ｂ３へ情報を伝達できる。
【００２７】
＜第５の実施例＞
第５の実施例の光伝送システムでは、第１の実施例（図１）の光伝送システムにおいて、波長毎に識別する光受信装置２０Ｂと一括で識別する光受信装置２０Ａとで、光送信装置１０からの信号送信時間を分割する。それぞれ分割された信号送信時間内において、光送信装置１０から光受信装置２０Ａ群に割り当てられた信号送信時間には光受信装置２０Ａ群へと情報が伝達されるように信号を送信し、光受信装置２０Ｂ群に割り当てられた信号送信時間には光送信装置１０に入力された２値符号をＳ／Ｐ変換し、光送信装置１０から光受信装置１０Ｂ群へと情報が伝達されるように信号を送信する。
【００２８】
また光受信装置２０Ａ群の信号送信時間内、および光受信装置２０Ｂ群の信号送信時間内では、時分割多重方法を用いて同種の光受信装置を持つユーザヘ信号を送信する。以上に加えて、一括で識別する光受信装置２０Ａ群への信号送信時間において、光受信装置２０Ａ群での受光強度を変化させない範囲において、光受信装置２０Ｂ群への信号を制御しながら送信することで、光受信装置２０Ｂ群においてのみ識別できる符号化情報を伝達できる。これにより光受信装置２０Ａ群への信号送信時間において、光受信装置２０Ｂ群に対して情報のブロードキャストが可能となり、光送信装置１０から光受信装置２０Ｂ群への帯域が増大する。上記システムでは、波長毎に識別する受信装置２０Ｂ群において識別可能な波長と異なる受信装置群が混在した場合、それぞれ受信可能な波長数が異なる受信装置宛への符号化情報の送信時間を分割する。例えば、λ１，λ２，・・・，λｎまで受信可能な受信装置群と、λ１，λ２，・・・，λｍ（ｍ＜ｎ）まで受信可能な受信装置群が混在する場合、ｎ波長受信可能な受信装置群宛の符号化情報の送信時間と、ｍ波長受信可能な受信装置群宛の符号化情報の送信時間には、異なる信号送信時間を割り当てる。
【００２９】
＜第６の実施例＞
第６の実施例の光伝送システムでは、第５の実施例の光伝送システムにおいて、第２の実施例の光伝送システムの符号化方法を用いて信号を送信し、符引化情報を伝達する。
【００３０】
＜第７の実施例＞
第７の実施例の光伝送システムを図７に示す。一括で識別する光受信装置２０Ａ１〜２０Ａ３への信号送信時間は多値伝送方式を用いて通信を行い、波長毎に識別する光受信装置２０Ｂ１〜２０Ｂ３への信号送信時間には並列伝送方式を用いる。光受信装置２０Ａ１〜２０Ａ３への信号送伝時間においては、第２の実施例（図２）での符号化方法を用いて全ての光受信装置２０Ｂ１〜２０Ｂ３に対して符号化情報を伝達する。本方法を適用した場合、各受信装置２０Ａ１〜２０Ａ３、２０Ｂ１〜２０Ｂ３が自装置宛の信号を受け取るタイムスロットを模式的に示したのが図７である。ａ１〜ａ３は光受信装置２０Ａ１〜２０Ａ３用のタイムスロット、ｂ１〜ｂ３は光受信装置２０Ａ１〜２０Ａ３用のタイムスロット、ａは光受信装置２０Ａ１〜２０Ａ３用のタイムスロットを利用した光受信装置２０Ａ１〜２０Ａ３用のタイムスロットである。
【００３１】
光受信装置２０Ｂ１〜２０Ｂ３に対して第２の実施例の光伝送システムで符号化（図２）した信号を送信した場合、光受信装置２０Ａ１〜２０Ａ３の取り得る受信強度が０レベルから３レベルのうち全てが等しい確率で起こると仮定すると、受信強度が１レベルまたは２レベルのとき、つまり光受信装置２０Ｂ１〜２０Ｂ３に対しての信号送信時間の半分の信号送信時間において、信号の送信が可能である。多値伝送方式のタイムスロットにおいて、光受信装置２０Ｂ１〜２０Ｂ３においても符号化情報が受信されることから、光送信装置１０から光受信装置２０Ｂ１〜２０Ｂ３への帯域は、並列伝送方式に加えてこの符号化情報により増大する。
【００３２】
＜第８の実施例＞
第８の実施例の光伝送システムでは、第５の実施例に示した光伝送システム（図１で信号送信時間を分割するシステム）において、光受信装置２０Ｂが複数台ある場合、光送信装置１０から生成する符号化情報に宛先情報を付加し、それを光受信装置２０Ｂ群側で受信して、自装置宛の符号化情報の場合以外は受信信号を廃棄することで、光受信装置２０Ｂ群の一部に対してのみ、符号化情報を伝達する。
【００３３】
宛先情報の判定は、上位レイヤーを利用し、たとえばヘッダ方法のように光送信装置１０側で光受信装置２０Ｂ群の各光受信装置に１対１対応する識別子を設定し、第５の実施例における符号化情報内にその識別子を付与して送信する。光受信装置２０Ｂ群側では、光受信装置２０Ｂ群に割り当てられた信号送信時間内で、その識別子に対応した光受信装置２０Ｂにおいてのみ受信して復号可能になり、その識別子に対応しない光受信装置２０Ｂでは、受信信号を廃棄する。これにより、光受信装置２０Ｂの内の任意の光受信装置に対してのみ符号化情報の伝達を行う。
【００３４】
＜第９の実施例＞
第９の実施例の光伝送システムでは、第７の実施例の光伝送システムにおいて、第２の実施例の光伝送システムの符号化方法を用いて信号を送信し、符号化情報を伝達する。
【００３５】
＜第１０の実施例＞
第１０の実施例の光伝送システムでは、第７の実施例の光伝送システムにおいて、光送信装置１０から送信される光受信装置２０Ｂ１〜２０Ｂ３においてのみ識別可能な符号化情報に宛先情報を付加し、光受信装置２０Ｂ１〜２０Ｂ３の各々の装置でその宛先情報を判定し、自装置以外の宛先情報を持つ受信信号は廃棄することで、光受信装置２０Ｂ群の一部に対してのみ、符号化情報を伝達する。
【００３６】
本実施例の光伝送システムを用いた場合の各光受信装置における信号受信時間は、図８に示すようになる。光受信装置２０Ａ１〜２０Ａ３Ａ向けに情報を伝達する多値伝送方式のタイムスロットにおいて、光受信装置２０Ｂ１〜２０Ｂ３の内の宛先情報で指定した任意の光受信装置ヘマルチキャスト、またはユニキャスト形式で符号化情報を伝達可能である。第７の実施例（図７）の光伝送システムでは、宛先情報が付加されないので、光受信装置２０Ｂ１〜２０Ｂ３に共通にタイムスロットａが割り当てられていたが、本実施例の光伝送システムでは、タイムスロットａが光受信装置２０Ｂ１〜２０Ｂ３の内の宛先情報で指定されたものに割り当てられている。
【図面の簡単な説明】
【００３７】
【図１】本発明の第１の実施例の光伝送システムの構成図である。
【図２】本発明の第２の実施例の光伝送システムの符号化の説明図である。
【図３】本発明の第４の実施例の光伝送システムの構成図である
【図４】本発明の第４の実施例の光伝送システムの光送信装置の構成図である
【図５】本発明の第４の実施例の光伝送システムの光送信装置の出力パターンの説明図である
【図６】本発明の第４の実施例の光伝送システムの光受信装置の入力パターンの説明図である
【図７】本発明の第７の実施例の光伝送システムの動作説明図である
【図８】本発明の第９の実施例の光伝送システムの動作説明図である
【図９】従来の並列伝送方式の光伝送システムの構成図である。
【図１０】従来の多値伝送方式の光伝送システムの構成図である。
【符号の説明】
【００３８】
１０：光送信装置
１１，１１１〜１１ｎ：光送信器
１２：波長合波器
１３：多値論理変換部
１４：Ｓ／Ｐ変換部
１５：Ｓ／Ｐ変換部を有する多値論理変換器
２０Ａ，２０Ａ１〜２０Ａｎ：光受信装置（第２の光受信装置）
２０Ｂ，２０Ｂ１〜２０Ｂｎ：光受信装置（第１の光受信装置）
２１，２１１〜２１３：光受信器
２２：波長分波器
２３，２３１〜２３３：光受信器
２４：Ｐ／Ｓ変換部
２５：閾値判定部
２６：多値２値変換部
３０：光パワースプリッタ
４０：光ファイバ伝送路
【図１】
2008312138.tif 000003
【図２】
2008312138.tif 000004
【図３】
2008312138.tif 000005
【図４】
2008312138.tif 000006
【図５】
2008312138.tif 000007
【図６】
2008312138.tif 000008
【図７】
2008312138.tif 000009
【図８】
2008312138.tif 000010
【図９】
2008312138.tif 000011
【図１０】
2008312138.tif 000012